(57)【特許請求の範囲】
【請求項１】
直線部分と、前記直線部分からのびるＵ字状湾曲部分とからなり、前記直線部分の基部が高所作業用安全帯の命綱の先端に固定され、前記Ｕ字状湾曲部分によって足掛けクギに係合するフック本体と、
前記フック本体の基部に取り付けられた回動軸と、
前記回動軸のまわりに回動可能に取り付けられ、前記フック本体の直線部分の位置から前記Ｕ字状湾曲部分の先端に向かって回動し、前記フック本体のＵ字状湾曲部分を閉じる閉鎖部材と、
前記閉鎖部材に形成され、前記フック本体のＵ字状湾曲部分の先端に向かう方向に沿って前記回動軸からの距離が漸次減少するように形成され、前記閉鎖部材がその閉位置にあるとき、前記フック本体に係合する前記足掛けクギに押しつけられる係合エッジと、
前記閉鎖部材と前記フック本体との間に配置され、前記閉鎖部材を常時前記閉位置に向けて付勢するスプリングと、
前記フック本体のＵ字状湾曲部分の内側縁に形成され、前記足掛けクギに係合する少なくとも１つの爪を備えたことを特徴とする高所作業用安全帯のフック。
【請求項２】
前記閉鎖部材の閉位置において、前記閉鎖部材を複数の角度位置にロックするロック手段を備えており、前記ロック手段は、
前記閉鎖部材に突設され、前記回動軸に平行に配置された係止ピンと、
前記フック本体の直線部分に取り付けられ、前記回動軸に平行に配置された第２の回動軸と、
前記第２の回動軸のまわりに回動可能に取り付けられたロック部材と、
前記ロック部材に形成され、前記係止ピンが嵌め込まれ、前記閉鎖部材の回動運動を吸収する形状を有するスロットと、
前記スロットの一側縁に形成され、前記閉鎖部材の前記複数の角度位置のそれぞれにおいて前記係止ピンを収容する２つ以上の凹部とを有しており、さらに、前記スプリングは、前記ロック部材を、前記スロットの凹部が前記係止ピンに押しつけられる方向に付勢することを特徴とする請求項１に記載の高所作業用安全帯のフック。
【請求項３】
前記閉鎖部材の閉位置において、前記閉鎖部材を複数の角度位置にロックするロック手段を備えており、前記ロック手段は、
前記フック本体の直線部分に突設され、前記回動軸に平行に配置された係止ピンと、
前記閉鎖部材に取り付けられ、前記回動軸に平行に配置された第２の回動軸と、
前記第２の回動軸のまわりに回動可能に取り付けられたロック部材と、
前記ロック部材に形成され、前記係止ピンが嵌め込まれ、前記閉鎖部材の回動運動を吸収する形状を有するスロットと、
前記スロットの一側縁に形成され、前記閉鎖部材の前記複数の角度位置のそれぞれにおいて前記係止ピンを収容する２つ以上の凹部と、
前記閉鎖部材と前記ロック部材との間に配置され、前記ロック部材を、前記スロットの凹部が前記係止ピンに押しつけられる方向に付勢する第２のスプリングを備えていることを特徴とする請求項１に記載の高所作業用安全帯のフック。
【発明の詳細な説明】
【０００１】
【発明の属する技術分野】
本発明は、高所作業用安全帯のフック、特に、電柱作業現場において使用する安全帯のフックに関する。
【０００２】
【従来の技術】
従来より、電柱作業現場においては、作業者の安全を確保するために高所作業用安全帯が使用されている。この高所作業用安全帯においては、フックが命綱の先端に固定されており、命綱によってフックと胴ベルトが連結され、胴ベルトが作業者の身体に装着されるようになっている。
【０００３】
このフックは、鉤状の本体と、本体の基部に取り付けられ、閉位置と開位置との間を回動するストッパとを備えており、閉位置では、ストッパが本体の先端に向かってのび、ストッパによって本体の基部と先端との間が閉じられ、開位置ではストッパは本体内に押し込まれ、本体の基部と先端との間が開かれるようになっている。さらに、ストッパを閉位置にロックすることができるロック機構が設けられている。
そして、ストッパの開位置で、本体を足掛けクギに引っかけた後、ストッパを閉位置まで回動させてロックすることによってフックを足掛けクギに係合させるようになっている。
【０００４】
こうして、図４に示したように、胴ベルト４０を装着した作業者は、適当な足掛けクギ４１にフック４２を係合させ、電柱４３を一定高さまで登った後、フック４２を一旦取り外し、次の適当な足掛けクギ４１にフック４２を係合させ、また電柱４３を一定高さまで登るという動作を繰り返し、電柱上部の所定位置まで登ると、この際にもフック４２を適当な足掛けクギ等に係合させた状態で作業を行う。作業終了後は、また、電柱４３を登る際と同様に、順次適当な足掛けクギ４１にフック４２を係合させ、取り外しながら電柱４３を降りる。
そして、万一作業者が足を踏み外しても、作業者は、フック４２、命綱４４および胴ベルト４０を通じて足掛けクギ４１によって支えられ、転落を免れるようになっている。
【０００５】
この場合、図５に示したように、足掛けクギには種々の径、および断面形状のものがあり、フックを、これらすべての足掛けクギに適合させる必要がある。
このため、従来のフック４２においては、フック４２が足掛けクギ４１に係合したとき、本体４５およびストッパ４６は、足掛けクギ４１のまわりを遊びを伴って包囲するようになっている。したがって、フック４２を足掛けクギ４１に係合させたとき、フック４２は足掛けクギ４１の半径方向には脱落しないが、足掛けクギの長さ方向には容易に移動することができ、足掛けクギ４１の径が比較的小さい場合には、フック４２が足掛けクギ４１の頭部から脱落しうることがある。
一方、万一作業者が転落した場合には、作業者は、電柱４３の足掛けクギ４１に係合するフック４２を中心にして振り子状に振られる。その結果、フック４２が足掛けクギ４１に沿ってクギの長さ方向に横滑りし、フック４２が足掛けクギ４１の頭部から外側に飛び出して脱落し、作業者の安全が確保できないおそれがあった。
【０００６】
【発明が解決しようとする課題】
したがって、本発明の課題は、電柱作業現場において、万一作業者が足を踏み外しても、フックが電柱の足掛けクギの長さ方向に横滑りしてクギから脱落することを防止し、作業者の安全が十分に確保されるようにすることにある。
【０００７】
【課題を解決するための手段】
かかる課題を解決するため、本発明は、直線部分と、前記直線部分からのびるＵ字状湾曲部分とからなり、前記直線部分の基部が高所作業用安全帯の命綱の先端に固定され、前記Ｕ字状湾曲部分によって足掛けクギに係合するフック本体と、前記フック本体の基部に取り付けられた回動軸と、前記回動軸のまわりに回動可能に取り付けられ、前記フック本体の直線部分の位置から前記Ｕ字状湾曲部分の先端に向かって回動し、前記フック本体のＵ字状湾曲部分を閉じる閉鎖部材と、前記閉鎖部材に形成され、前記フック本体のＵ字状湾曲部分の先端に向かう方向に沿って前記回動軸からの距離が漸次減少するように形成され、前記閉鎖部材がその閉位置にあるとき、前記フック本体に係合する前記足掛けクギに押しつけられる係合エッジと、前記閉鎖部材と前記フック本体との間に配置され、前記閉鎖部材を常時前記閉位置に向けて付勢するスプリングと、前記フック本体のＵ字状湾曲部分の内側縁に形成され、前記足掛けクギに係合する少なくとも１つの爪を備えたことを特徴とする高所作業用安全帯のフックを構成したものである。
【０００８】
以上の構成において、高所作業用安全帯の使用に際しては、フックの閉鎖部材が、作業者の手によって、スプリングの付勢力に抗して閉位置からフック本体の直線部分に向かって押し込まれ、フック本体のＵ字状湾曲部分を開く開位置まで回動する。そして、Ｕ字状湾曲部分が足掛けクギに引っかけられる。その後、閉鎖部材は、スプリングの付勢力によって閉位置まで回動する。閉位置において、閉鎖部材の係合エッジは、足掛けクギに押しつけられる。それと同時に、フック本体のＵ字状湾曲部分の爪が足掛けクギに係合する。こうして、フックは、足掛けクギに確実に係合し、よって、フックが足掛けクギの長さ方向に横滑りすることが防止される。
【０００９】
このとき、閉鎖部材の係合エッジが、フック本体のＵ字状湾曲部分の先端に向かう方向に沿って閉鎖部材の回動軸からの距離が漸次減少するように形成されているので、閉鎖部材の閉位置において、閉鎖部材の回動角度に応じてフック本体のＵ字状湾曲部分の内側縁と閉鎖部材の係合エッジとの間隔が変化しうる。その結果、足掛けクギの径に大小があっても、閉鎖部材は、閉位置において、足掛けクギの径に応じた角度位置で足掛けクギに確実に係合する。
【００１０】
好ましくは、本発明による高所作業用安全帯のフックは、さらに、前記閉鎖部材の閉位置において、前記閉鎖部材を複数の角度位置にロックするロック手段を備えており、前記ロック手段は、前記閉鎖部材に突設され、前記回動軸に平行に配置された係止ピンと、前記フック本体の直線部分に取り付けられ、前記回動軸に平行に配置された第２の回動軸と、前記第２の回動軸のまわりに回動可能に取り付けられたロック部材と、前記ロック部材に形成され、前記係止ピンが嵌め込まれ、前記閉鎖部材の回動運動を吸収する形状を有するスロットと、前記スロットの一側縁に形成され、前記閉鎖部材の前記複数の角度位置のそれぞれにおいて前記係止ピンを収容する２つ以上の凹部とを有しており、さらに、前記スプリングは、前記ロック部材を、前記スロットの凹部が前記係止ピンに押しつけられる方向に付勢するようになっている。
【００１１】
あるいは、本発明による高所作業用安全帯のフックは、さらに、前記閉鎖部材の閉位置において、前記閉鎖部材を複数の角度位置にロックするロック手段を備えており、前記ロック手段は、前記フック本体の直線部分に突設され、前記回動軸に平行に配置された係止ピンと、前記閉鎖部材に取り付けられ、前記回動軸に平行に配置された第２の回動軸と、前記第２の回動軸のまわりに回動可能に取り付けられたロック部材と、前記ロック部材に形成され、前記係止ピンが嵌め込まれ、前記閉鎖部材の回動運動を吸収する形状を有するスロットと、前記スロットの一側縁に形成され、前記閉鎖部材の前記複数の角度位置のそれぞれにおいて前記係止ピンを収容する２つ以上の凹部と、前記閉鎖部材と前記ロック部材との間に配置され、前記ロック部材を、前記スロットの凹部が前記係止ピンに押しつけられる方向に付勢する第２のスプリングを備えている。
【００１２】
かかるロック手段によって、閉鎖部材は、その閉位置において、足掛けクギの径の大小に応じた複数の角度位置にロックされる。その結果、閉鎖部材が突発的に開位置に回動し、フック本体のＵ字状湾曲部分を開いてしまうことが確実に防止される。
【００１３】
【発明の実施の形態】
以下、添付図面を参照しながら本発明の好ましい実施例について説明する。
図１は、本発明による高所作業用安全帯のフックの１実施例を示す平面図であり、（Ａ）は、フックを大きい径の足掛けクギに係合させた状態を、（Ｂ）は、フックを小さい径の足掛けクギに係合させた状態を、（Ｃ）は、フックの閉鎖部材が開位置にある状態をそれぞれ示したものである。また、図２は、図１に示したフックの分解斜視図である。
【００１４】
図１および図２に示したように、本発明による高所作業用安全帯のフックは、直線部分１ａと、直線部分１ａからのびるＵ字状湾曲部分１ｂとからなるフック本体１を備えている。そして、フック本体１の直線部分１ａの基部２が、高所作業用安全帯の命綱の先端３に固定され、Ｕ字状湾曲部分１ｂによって足掛けクギ４に係合するようになっている。
【００１５】
図示はしないが、命綱は、巻取りリールに巻き取られるようになっており、巻取りリールは胴ベルトに取り付けられ、胴ベルトが作業者の身体に装着されるようになっている。
【００１６】
フック本体１の基部２には、閉鎖部材５が取り付けられている。図２に示したように、閉鎖部材５は、２枚のＬ字形状の金属板を、互いの一側面が対向するように間隔をあけて平行に配置し、Ｌ字の連結部近傍において、Ｌ字の縦方向の脚同志を互いに連結したものからなっている。
そして、閉鎖部材５のＬ字の縦方向の脚５ａの先端部が、その両壁の間にフック本体１を挟んだ状態で、リベット６によってフック本体１の基部２に連結され、リベット６のまわりに回動可能になっている。
【００１７】
こうして、閉鎖部材５は、フック本体１の直線部分１ａの位置からＵ字状湾曲部分１ｂの先端７に向かって回動し、Ｕ字状湾曲部分１ｂを閉じる閉位置（図１（Ａ）（Ｂ）参照）と、閉位置からフック本体１の直線部分１ａに向かって回動し、Ｕ字状湾曲部分１ｂを開く開位置（図１（Ｃ）参照）をとるようになっている。このとき、フック本体１が閉鎖部材５の両壁間に挿入されて、閉鎖部材５の回動運動が妨げられないようになっている。
【００１８】
図１（Ａ）および（Ｂ）に示したように、閉鎖部材５が閉位置にあるとき、閉鎖部材５のＬ字の縦方向の脚５ａは、フック本体１のＵ字状湾曲部分１ｂの先端７に向かってのび、フック本体１の先端７は閉鎖部材４の両壁の間に挿入され、また、閉鎖部材５のＬ字の横方向の脚５ｂは、フック本体１の直線部分１ａに向かってのび、その両壁の間に直線部分１ａが挿入される。
【００１９】
閉位置では、閉鎖部材５のＬ字の横方向の脚５ｂによって、フック本体１のＵ字状湾曲部分１ｂの開口が閉じられ、それと同時に、閉鎖部材５のＬ字の横方向の脚５ｂの係合エッジ８が、フック本体１のＵ字状湾曲部分１ｂに係合する足掛けクギ４に押しつけられるようになっている。
【００２０】
このとき、閉鎖部材５の係合エッジ８は、フック本体１の先端７に向かう方向に沿ってリベット６からの距離が漸次減少するようになっているので、閉鎖部材５の閉位置において、閉鎖部材５の回動角度に応じてフック本体１のＵ字状湾曲部分１ｂの内側縁と閉鎖部材５の係合エッジ８との間隔が変化しうる。その結果、足掛けクギ４の径に大小があっても、閉鎖部材５は、閉位置において、足掛けクギ４の径に応じた角度位置で、係合エッジ８によって足掛けクギに確実に係合する。
なお、足掛けクギ４により確実に係合せるために、係合エッジ８に、その長さ方向に連続する歯を形成することもできる。
【００２１】
図１（Ｃ）に示したように、開位置では、閉鎖部材５のＬ字の縦方向の脚５ａの両壁間にフック本体１が挿入され、Ｌ字の縦方向の脚５ａがフック本体１の直線部分１ａと重なり合い、フック本体１のＵ字状湾曲部分１ｂは開いている。
【００２２】
本発明による高所作業用安全帯のフックは、さらに、閉鎖部材５を、その閉位置において複数の角度位置にロックするロック手段を備えている。
ロック手段は、図２に示したように、閉鎖部材５に突設され、リベット６に平行に配置された係止ピン９と、フック本体１の直線部分１ａに回動可能に取り付けられたロック部材１０を有している。ロック部材１０は、金属板を折り曲げたものからなり、Ｕ字状断面をもち、閉鎖部材５およびフック本体１に嵌め合わされ、閉鎖部材５およびフック本体１はロック部材１０の両壁間に挿入されている。さらに、ロック部材１０は、リベット６に平行に配置された連結ピン１１によってフック本体１の直線部分１ａに連結され、連結ピン１１のまわりに回動可能になっている。連結ピン１１は、ロック部材１０およびフック本体１を貫通しており、両端部がロック部材１０の外側に突出している。
ロック部材１０のＵ字の連結部分には、第１の操作ハンドル１４が取り付けられている。
【００２３】
ロック部材１０は、係止ピン側の壁にスロット１２を有し、スロット１２には係止ピン９が嵌め込まれる。スロット１２は、ほぼロック部材１０の長さ方向にのび、閉鎖部材５の回動運動を吸収する形状を有している。さらに、スロット１２のフック本体１の基部側の側縁には、閉鎖部材５の閉位置での２つの角度位置のそれぞれにおいて、係止ピン９を収容する２つの凹部、すなわち、連結ピン１１から見て最も外側の第１凹部１３ａおよびその内側に隣接する第２凹部１３ｂが形成されている。この場合、連結ピン１１から見て外側の凹部の方が、内側の凹部よりも深くなるように形成されている。
【００２４】
図１（Ａ）および（Ｂ）に示したように、係止ピン９が第１凹部１３ａに収容されるときは、閉鎖部材５が、閉位置において、最大角度回動した第１の角度位置をとり、フック本体１のＵ字状湾曲部分１ｂの内側縁と、閉鎖部材５の係合エッジ８との間隔は最も狭くなり、係止ピン９が第２凹部１３ｂに収容されるときは、閉鎖部材５は、閉位置において、第１の角度位置より小さい角度回動した第２の角度位置をとり、Ｕ字状湾曲部分１ｂの内側縁と、閉鎖部材５の係合エッジ８との間隔はより大きくなるようになっている。
【００２５】
この実施例では、２つの凹部としたが、もちろん２つ以上の凹部を形成することも可能であり、この場合には、閉鎖部材５の閉位置での２つ以上の角度位置のそれぞれにおいて係止ピン９を収容することができる。
【００２６】
フック本体１の直線部分１ａには、第２の操作ハンドル１５が回動可能に取り付けられている。第２の操作ハンドル１５もまた金属板を折り曲げたもので、Ｕ字状断面をもち、フック本体１の直線部分１ａに嵌め合わされ、直線部分１ａは、第２の操作ハンドル１５の両壁間に挿入されている。第２の操作ハンドル１５は、連結ピン１１に平行に配置されたリベット１６によってフック本体１に連結され、リベット１６のまわりに回動可能になっている。
【００２７】
連結ピン１１の両端部には、それぞれ、コイル状のスプリング１７がこれを取り巻いて配置されている。そして、スプリング１７の一端は、それぞれロック部材１０に固定され、他端は互いに連結されており、この連結部分が、第２の操作ハンドル１５のＵ字の連結部の内側面に当接し、ロック部材１０は、図１において、連結ピン１１に関して時計回りに、一方、第２の操作ハンドル１５は、リベット１６に関して反時計回りに常時付勢されている。さらに、ロック部材１０がこのように付勢されることによって、閉鎖部材５は、常時閉位置に向かって付勢されている。
【００２８】
この場合、閉鎖部材５に対する付勢力をより強くするために、一対のコイル状スプリングを、フック本体１と閉鎖部材５との間隙中に、リベット６を取り巻いて配置し、各スプリングの一端を閉鎖部材５に固定し、他端は互いに連結して、この連結部をフック本体１に当接させることにより、このスプリングの弾性力によって閉鎖部材５を付勢することもできる。
【００２９】
フック本体１のＵ字状湾曲部分１ｂにおける、Ｕ字の連結部の両面には、この面と同一形状を有し、内側湾曲縁に２つの爪１８が形成された金属板１９が、リベット２０によって取り付けられている。この場合、一枚の金属板当たり、少なくとも１つの爪が形成されていればよく、また、Ｕ字状湾曲部分１ｂのＵ字の連結部の片面のみに金属板１９が取付けられていてもよい。
また、この実施例では、爪を設けた金属板をＵ字状湾曲部分に取り付けるようにしたが、Ｕ字状湾曲部分の内側縁に爪を一体形成するようにしてもよい。
【００３０】
次に、本発明によるフックの動作方法について説明する。
常時は、係止ピン１０が第１凹部１３ａに収容され、閉鎖部材５は、閉位置における第１の角度位置をとる。この状態から、第１および第２の操作ハンドル１４、１５が、作業者の手によって握られ、第１の操作ハンドル１４を介してロック部材１０は反時計回りに、第２の操作ハンドル１５は時計回りに回動する。その結果、係止ピン９は、第１凹部１３ａから脱出してスロット１２における第１凹部１３ａと反対側の側縁に当接した後、この側縁に押されながらこれに沿って、スロット中を連結ピン１１の方に向かって運動する。この係止ピン９の運動に伴って、閉鎖部材５は開位置に向かって回動し、係止ピン９がスロット１２の内側端縁に当接したとき、閉鎖部材５は、開位置をとる（図１（Ｃ）参照）。
【００３１】
そして、フック本体１のＵ字状湾曲部分１ｂが足掛けクギ４に係合せしめられると、作業者の手が第１および第２の操作ハンドル１４、１５から離される。そのとき、ロック部材１０は時計回りに回動し、それによって係止ピン９は、スロット１２の凹部側の側縁に押され、スロット中を第１および第２凹部１３ａ、１３ｂに向かって運動する。この係止ピン９の運動に伴って、閉鎖部材５は、閉位置に向かって回動する。
【００３２】
閉鎖部材５が閉位置まで回動したとき、図１（Ａ）に示したように、足掛けクギ４が大きな径をもつ場合には、閉鎖部材５の係合エッジ８が足掛けクギ４に押しつけられるとき、閉鎖部材５は第２の角度位置をとり、図１（Ｂ）に示したように、足掛けクギ４が小さい径をもつ場合には、閉鎖部材５の係合エッジ８が足掛けクギ４に押しつけられるとき、閉鎖部材５は第１の角度位置をとる。
【００３３】
そして、閉鎖部材５が第２の角度位置をとるとき、係止ピン９は第２凹部１３ｂ内に収容される。このとき、突発的に閉鎖部材５を開位置に向かって回動させるような力が作用しても、係止ピン９が第２凹部１３ｂの縁に当接し、閉鎖部材５は第２の角度位置にロックされたままである。また、このロック状態において、爪１８が足掛けクギ４に係合する。
閉鎖部材５が第１の角度位置をとるとき、係止ピン９は第１凹部１３ａ内に収容され、前と同様にして、閉鎖部材５は第１の角度位置にロックされ、爪１８が足掛けクギ４に係合する。
【００３４】
こうして、本発明による高所作業用安全帯のフックは、フック本体１のＵ字状湾曲部分１ｂの爪１８に係止された足掛けクギ４に、閉鎖部材５が圧接した状態で、足掛けクギ４に係合し、ロックされるので、万一作業者が足を踏み外した場合にも、フックは、足掛けクギ４の長さ方向に横滑りせず、クギから脱落することがない。こうして、電柱作業現場における作業者の安全が保証される。しかも、本発明による高所作業用安全帯のフックは、足掛けクギの径が大小相違し、あるいはその断面形状が異なる場合であっても、足掛けクギに確実に係合する。
【００３５】
閉鎖部材５を、第１または第２の角度位置におけるロック状態から開位置まで回動させる操作は、前述したとおりである。
【００３６】
図３は、本発明による高所作業用安全帯のフックの別の実施例を示す平面図であり、（Ａ）は、フックを小さい径の足掛けクギに係合させた状態を、（Ｂ）は、フックを大きい径の足掛けクギに係合させた状態を、（Ｃ）は、フックの閉鎖部材が開位置にある状態をそれぞれ示したものである。
図３に示した実施例は、図１の実施例と、閉鎖部材の形状およびロック手段の構造が相違しているのみである。したがって、図１の実施例と同一の構成要素については同一番号を付し、説明を省略する。
【００３７】
図３の実施例によれば、閉鎖部材３０は、２枚の実質上扇形をなす金属板を、互いの一側面が対向するように間隔をあけて平行に配置し、扇形の半径方向の縁の一方を連結したものから形成されている。そして、閉鎖部材３０の扇形の頂点部分が、その両壁間にフック本体１を挟んだ状態で、リベット６によってフック本体１の基部２に連結され、リベット６のまわりに回動可能になっている。
【００３８】
こうして、閉鎖部材３０は、図１の実施例の閉鎖部材５と同様に、Ｕ字状湾曲部分１ｂを閉じる閉位置（図３（Ａ）（Ｂ）参照）と、Ｕ字状湾曲部分１ｂを開く開位置（図３（Ｃ）参照）をとるようになっている。このとき、フック本体１が閉鎖部材３０の両壁間に挿入されて、閉鎖部材３０の回動運動が妨げられないようになっている。
【００３９】
図３（Ａ）および（Ｂ）に示したように、閉鎖部材３０が閉位置にあるとき、閉鎖部材３０の扇形の一方の半径方向の縁３０ａはフック本体１の先端３に向かってのび、他方の半径方向の縁３０ｂは、フック本体１の直線部分１ａに向かってのびており、フック本体１の先端３および直線部分１ａは、閉鎖部材３０の両壁間に挿入されている。
【００４０】
したがって、閉位置では、閉鎖部材３０によって、フック本体１のＵ字状湾曲部分１ｂの開口が閉じられ、それと同時に、閉鎖部材３０の円周方向にのびる係合エッジ３１が、フック本体１のＵ字状湾曲部分１ｂに係合する足掛けクギ４に押しつけられるようになっている。
【００４１】
一対のコイル状スプリング３２が、フック本体１と閉鎖部材３０との間隙中に、リベット６を取り巻いて配置されている。各スプリング３２の一端は、閉鎖部材３０の連結部に固定され、他端は互いに連結され、この連結部がフック本体１の直線部分１ａの側縁に当接せしめられることにより、スプリング３２の弾性力によって閉鎖部材３０は、常時閉位置に向かって付勢されている。
【００４２】
閉鎖部材３０の係合エッジ３１は、フック本体１の先端７に向かう方向に沿って、リベット６からの距離が漸次減少するようになっているので、閉鎖部材３０の閉位置において、閉鎖部材３０の回動角度に応じて、フック本体１のＵ字状湾曲部分１ｂの内側縁と閉鎖部材３０の係合エッジ３１との間隔が変化する。したがって、足掛けクギ４の径に大小があっても、閉鎖部材３０は、閉位置において、足掛けクギ４の径に応じた角度位置で、係合エッジ３１によって足掛けクギに確実に係合する。
足掛けクギ４により確実に係合させるため、係合エッジ３１に、その長さ方向に連続する歯を形成することもできる。
【００４３】
図３（Ｃ）に示したように、開位置では、閉鎖部材３０の両壁間にフック本体１が挿入され、閉鎖部材３０がフック本体１の直線部分１ａと重なり合い、フック本体１のＵ字状湾曲部分１ｂは開いている。
【００４４】
本発明によるフックは、さらに、閉鎖部材３０を、その閉位置において複数の角度位置にロックするロック手段を備えている。
ロック手段は、閉鎖部材３０に突設され、リベット６に平行に配置された係止ピン３３と、閉鎖部材３０に回動可能に取り付けられたロック部材３４を有している。ロック部材３４は、金属板を折り曲げたものからなり、Ｕ字状断面をもち、フック本体１の直線部分１ａと閉鎖部材３０の間に嵌め合わされ、フック本体１がロック部材３４の両壁間に、また、フック本体１およびロック部材３４が閉鎖部材３０の両壁間に挿入されている。ロック部材３４は、リベット６に平行に配置されたリベット３５によって閉鎖部材３０の扇形の一方の半径方向の縁３０ａの近傍において連結され、リベット３５のまわりに回動可能になっている。
【００４５】
ロック部材３４は、係止ピン側の壁にスロット３６を有し、スロット３６には係止ピン３３が嵌め込まれる。スロット３６は、ほぼロック部材３４の長さ方向にのび、閉鎖部材３０の回動運動を吸収する形状を有している。さらに、スロット３６におけるフック本体の先端７側の側縁には、閉鎖部材３０の閉位置での２つの角度位置のそれぞれにおいて、係止ピン３３を収容する２つの凹部、すなわおち、リベット３５から見て最も外側の第１凹部３７ａ、およびその内側に隣接する第２凹部３７ｂが形成されている。このとき、リベット３５から見て、外側の凹部の方が内側の凹部よりも深くなるように形成されている。
【００４６】
図３（Ａ）および（Ｂ）に示したように、係止ピン３３が第１凹部３７ａに収容されるときは、閉鎖部材３０が、閉位置において、最大角度回動した第１の角度位置をとり、フック本体のＵ字状湾曲部分１ｂの内側縁と、閉鎖部材の係合エッジ３１との間隔は最も狭くなり、係止ピン３３が第２凹部３７ｂに収容されるときは、閉鎖部材３０は、閉位置において、第１の角度位置より小さい角度回動した第２の角度位置をとり、Ｕ字状湾曲部分１ｂの内側縁と、係合エッジ３１との間隔はより大きくなるようになっている。
【００４７】
この場合、２つ以上の凹部を形成することによって、閉鎖部材３０の閉位置での２つ以上の角度位置のそれぞれにおいて、係止ピン３３を収容することが可能となる。
【００４８】
一対のコイル状スプリング３８が、閉鎖部材３０とロック部材３４との間隙中に、リベット３５を取り巻いて配置されている。そして、各スプリング３８の一端は、ロック部材３４に固定され、他端は互いに連結され、この連結部が閉鎖部材の２枚の扇形を連結する部分の内面に当接し、ロック部材３４は、図３において、リベット３５に関して時計回りに常時付勢されている。
【００４９】
次に、フックの動作方法について説明する。
常時は、係止ピン３３が第１凹部３７ａに収容され、閉鎖部材３０は、閉位置における第１の角度位置をとる。この状態から、閉鎖部材３０の縁３０ａとロック部材３４の先端縁が作業者の手によって握られ、ロック部材３４は反時計回りに、閉鎖部材３０は時計回りに回動する。その結果、係止ピン３３は、第１凹部３７ａから脱出してスロット３６における第１凹部３７ａと反対側の側縁に当接した後、この側縁に押されながらこれに沿って、スロット中をリベット３５の方に向かって運動する。この係止ピン３３の運動に伴って、閉鎖部材３０は開位置に向かって回動し、係止ピン３３がスロット３６の内側端縁に当接したとき、閉鎖部材３０は、開位置をとる（図３（Ｃ）参照）。
【００５０】
そして、フック本体１のＵ字状湾曲部分１ｂが足掛けクギ４に係合せしめられると、作業者の手が閉鎖部材３０およびロック部材３４から離される。そのとき、ロック部材３４は時計回りに回動し、それによって係止ピン３３は、スロット３６の凹部側の側縁に押され、スロット中を第１および第２凹部３７ａ、３７ｂに向かって運動する。この係止ピン３３の運動に伴って、閉鎖部材３０は、閉位置に向かって回動する。
【００５１】
閉鎖部材３０が閉位置まで回動したとき、足掛けクギ４が大きな径をもつ場合には、閉鎖部材３０の係合エッジ３１が足掛けクギ４に押しつけられるとき、閉鎖部材３０は第２の角度位置をとり（図３（Ｂ）参照）、足掛けクギ４が小さい径をもつ場合には、係合エッジ３１が足掛けクギ４に押しつけられるとき、閉鎖部材３０は第１の角度位置をとる（図３（Ａ）参照）。
【００５２】
閉鎖部材３０が第２の角度位置をとるとき、係止ピン３３は第２凹部３７ｂ内に収容される。このとき、突発的に閉鎖部材３０を開位置に向かって回動させるような力が作用しても、係止ピン３３が第２凹部３７ｂの縁に当接し、閉鎖部材３０は第２の角度位置にロックされたままである。また、このロック状態において、爪１８が足掛けクギ４に係合する。
閉鎖部材３０が第１の角度位置をとるとき、係止ピン３３は第１凹部３７ａ内に収容され、前と同様にして、閉鎖部材３０は第１の角度位置にロックされ、爪１８が足掛けクギ４に係合する。
【００５３】
この実施例の場合も、図１の実施例の場合と同様の効果が得られることは言うまでもない。
【００５４】
【発明の効果】
以上説明したように、本発明によれば、フックは、フック本体のＵ字状湾曲部分の爪に係止された足掛けクギに閉鎖部材が圧接した状態で、足掛けクギに係合するので、万一作業者が足を踏み外した場合にも、フックは、足掛けクギの長さ方向に横滑りすることがなく、よってクギから脱落することがない。しかも、本発明によるフックは、足掛けクギの径が大小相違し、またその断面形状が異なる場合であっても足掛けクギに確実に係合し得る。こうして、本発明によれば、電柱作業現場において、作業者の安全が十分に確保される。
【図面の簡単な説明】
【図１】本発明による高所作業用安全帯のフックの１実施例を示す平面図であり、（Ａ）は、フックを大きい径の足掛けクギに係合させた状態を、（Ｂ）は、フックを小さい径の足掛けクギに係合させた状態を、（Ｃ）は、フックの閉鎖部材が開位置にある状態をそれぞれ示したものである。
【図２】図１に示したフックの分解斜視図である。
【図３】本発明による高所作業用安全帯のフックの別の実施例を示す平面図であり、（Ａ）は、フックを小さい径の足掛けクギに係合させた状態を、（Ｂ）は、フックを大きい径の足掛けクギに係合させた状態を、（Ｃ）は、フックの閉鎖部材が開位置にある状態をそれぞれ示したものである。
【図４】電柱作業現場における従来の高所作業用安全帯の使用例を示す図である。
【図５】電柱の足掛けクギの種々の例を示す斜視図である。
【符号の説明】
１  フック本体
１ａ  直線部分
１ｂ  Ｕ字状湾曲部分
２  基部
３  命綱の先端
４  足掛けクギ
５  閉鎖部材
６  リベット
７  先端
８  係合エッジ
９  係止ピン
１０  ロック部材
１１  連結ピン
１２  スロット
１３ａ、１３ｂ  凹部
１４  第１の操作ハンドル
１５  第２の操作ハンドル
１６  リベット
１７  スプリング
１８  爪
２０  リベット
【図１】
0003869882.tif 000002
【図２】
0003869882.tif 000003
【図３】
0003869882.tif 000004
【図４】
0003869882.tif 000005
【図５】
0003869882.tif 000006